(57)【特許請求の範囲】
【請求項１】
複数の遊技機が並設される遊技機列を背中合わせで２列に配設される遊技機島において、
前記各遊技機の下方には、一方の遊技機列から他方の遊技機列まで延びるように形成され、遊技者の足が入れられる足入れ空間が設けられ、
一方の遊技機列を構成する各遊技機が、他方の遊技機列を構成する各遊技機に対し、各遊技機の中央が互いに前記遊技機島の長手方向にずれるように配設され、
前記足入れ空間は、前記遊技機島の高さ方向から見たとき、一方の各遊技機の下方に入口を設けられた各足入れ空間と、他方の各遊技機の下方に入口を設けられた各足入れ空間とが、隣接する各足入れ空間を区分する仕切板を隔てて、前記遊技機島の長手方向で交互に形成される、
ことを特徴とする遊技機島。
【請求項２】
前記遊技機島の長手方向で隣接する前記足入れ空間の間には、前記仕切板から連設される前面板が設けられ、
一方の遊技機列の下方に形成される前記足入れ空間の入口と、他方の遊技機列の下方に設置される前記前面板が、足入れ空間の奥行方向で対向する位置に配置されている、
ことを特徴とする請求項１に記載の遊技機島。
【請求項３】
前記遊技機から遊技機奥行方向に向かう垂線と、床面から遊技機高さ方向に向かう垂線と、を含む平面が、一の足入れ空間の奥行き方向に直交する方向の略中央を通るように位置したとき、前記仕切板は前記平面に対して対称な位置に配置される、
ことを特徴とする請求項１に記載の遊技機島。
【請求項４】
前記前面板は、略三角形状に形成されている、
ことを特徴とする請求項２に記載の遊技機島。
【請求項５】
前記足入れ空間は、前記遊技機島の高さ方向から見たとき、床面近くの下方では略コ字形に形成され、遊技機近くの上方では略ハの字状に形成されている、
ことを特徴とする請求項２又は請求項３に記載の遊技機島。
【請求項６】
近接する前記遊技機と前記遊技機との間の下方であって前記遊技機の前面側に、略三角形状の前面板が配置され、
前記前面板の側縁と、該側縁に対向する前面板の側縁とを結ぶように、前記仕切板が形成されている、
ことを特徴とする請求項１に記載の遊技機島。
【発明の詳細な説明】
【技術分野】
【０００１】
この発明は、複数の遊技機が配設された遊技機島および、遊技機の下方の空間を仕切る遊技機島用仕切体に関する。
【背景技術】
【０００２】
パチンコ機やパチスロ機などの遊技機が複数配設された遊技機島では、従来、複数の遊技機が背中合わせで２列に配設されている（例えば、特許文献１参照。）。すなわち、図９（ａ）に示すように、遊技機１０１が背中を向き合わせて２列に配設され、かつ、対向する遊技機１０１の背面同士が重なるように配設されている。また、遊技機１０１の下方に仕切りを設けるとした場合、図９（ｂ）に示すような、隣接する遊技機１０１間を仕切る隣接間仕切板１０２と、遊技機１０１の列間を仕切る列間仕切板１０３とを配設することが考えられる。そして、隣接間仕切板１０２によって、遊技者の足先が隣接する遊技機１０１の遊技者に触れず、列間仕切板１０３によって、遊技者の足先が対向する遊技機１０１の遊技者に触れないようになっている。
【先行技術文献】
【特許文献】
【０００３】
【特許文献１】特開２０１３−１５８５１４号公報
【発明の概要】
【発明が解決しようとする課題】
【０００４】
ところで、従来の遊技機島では、列間仕切板１０３が配設されているため、遊技者が占有できるパーソナル空間ＰＳ２が狭い。すなわち、遊技機１０１の列と列との間に列間仕切板１０３が配設されているため、遊技者は足を伸ばすことができず、パーソナル空間ＰＳ２が狭かった。この結果、リラックスした状態で遊技を行うことが困難であった。一方、遊技機１０１の前面から列間仕切板１０３までの奥行長Ｄ２を長くすると、遊技者は足を伸ばすことができるが、遊技機１０１の列間の距離が長くなり、遊技機島の設置スペースが大きくなってしまう。
【０００５】
そこでこの発明は、遊技機の列間の距離を長くすることなく、遊技者が足を伸ばすことができる遊技機島および遊技機島用仕切体を提供することを目的とする。
【課題を解決するための手段】
【０００６】
上記課題を解決するために、請求項１に記載の発明は、複数の遊技機が並設される遊技機列を背中合わせで２列に配設される遊技機島において、前記各遊技機の下方には、一方の遊技機列から他方の遊技機列まで延びるように形成され、遊技者の足が入れられる足入れ空間が設けられ、一方の遊技機列を構成する各遊技機が、他方の遊技機列を構成する各遊技機に対し、各遊技機の中央が互いに前記遊技機島の長手方向にずれるように配設され、前記足入れ空間は、前記遊技機島の高さ方向から見たとき、一方の各遊技機の下方に入口を設けられた各足入れ空間と、他方の各遊技機の下方に入口を設けられた各足入れ空間とが、隣接する各足入れ空間を区分する仕切板を隔てて、前記遊技機島の長手方向で交互に形成される、ことを特徴とする。
【０００７】
請求項２に記載の発明は、前記遊技機島の長手方向で隣接する前記足入れ空間の間には、前記仕切板から連設される前面板が設けられ、一方の遊技機列の下方に形成される前記足入れ空間の入口と、他方の遊技機列の下方に設置される前記前面板が、足入れ空間の奥行方向で対向する位置に配置されている、ことを特徴とする。
【０００８】
請求項３に記載の発明は、前記遊技機から遊技機奥行方向に向かう垂線と、床面から遊技機高さ方向に向かう垂線と、を含む平面が、一の足入れ空間の奥行き方向に直交する方向の略中央を通るように位置したとき、前記仕切板は前記平面に対して対称な位置に配置される、ことを特徴とする。
【０００９】
請求項４に記載の発明は、前記前面板は、略三角形状に形成されている、ことを特徴とする。
【００１０】
請求項５に記載の発明は、前記足入れ空間は、前記遊技機島の高さ方向から見たとき、床面近くの下方では略コ字形に形成され、遊技機近くの上方では略ハの字状に形成されている、ことを特徴とする。
【００１１】
請求項６に記載の発明は、近接する前記遊技機と前記遊技機との間の下方であって前記遊技機の前面側に、略三角形状の前面板が配置され、前記前面板の側縁と、該側縁に対向する前面板の側縁とを結ぶように、前記仕切板が形成されている、ことを特徴とする。
【発明の効果】
【００１２】
請求項１の発明によれば、仕切板によって各遊技機の下方に、遊技機の前面側から背中合わせの遊技機の前面側まで延びる足入れ空間が形成されるため、遊技者は足を伸ばすことができ、リラックスした状態で遊技を行うことが可能となる。しかも、隣接する遊技機と遊技機との間に背中合わせの遊技機が位置しているため、つまり、対向する遊技機が互いにずれているため、遊技機の列間の距離を長くすることなく、足入れ空間の奥行を長くすることができる。
【００１３】
請求項２の発明によれば、足入れ空間の奥側まで足先を入れる空間を確保することができる。
【００１４】
請求項３の発明によれば、足入れ空間を左右対称にすることができ、遊技者が正面向きにリラックスして座ることができる。
【００１５】
請求項４の発明によれば、前面板が略三角形状で、対向する前面板の側縁同士を結ぶように仕切板が形成されているため、この仕切板によって、上部の遊技機側の幅が広くて下部の幅が狭い足入れ空間が形成される。つまり、足入れ空間において遊技者の股部が位置する幅が、足先部が位置する幅よりも広くなるため、請求項２の発明と同様に、よりリラックスした状態で遊技を行うことが可能となる。このように、前面板と仕切板とを備えるだけで、リラックスできる空間を遊技者に提供することができる。
請求項５および請求項６の発明によれば、足入れ空間の形状を、遊技者の股部近傍あるいは膝が位置する幅が、足先部が位置する幅よりも広くなっているため、遊技者は足の付け根を開いたり動かしたりして自由な姿勢をとり、よりリラックスした状態で遊技を行うことが可能となる。
【図面の簡単な説明】
【００１６】
【図１】この発明の実施の形態１に係る遊技機島および遊技機島用仕切体を示す正面図である。
【図２】図１の遊技機島および遊技機島用仕切体を示す斜視図である。
【図３】図１の遊技機島における遊技機の配設状態を示す平面図である。
【図４】図１の遊技機島用仕切体の下部を示す平面図（ａ）と上部を示す平面図（ｂ）である。
【図５】図１の遊技機島用仕切体の一部の平面図（ａ）と正面図（ｂ）である。
【図６】この発明の実施の形態２に係る遊技機島用仕切体の仕切体ユニットを示す平面図（ａ）と正面図（ｂ）である。
【図７】この発明の実施の形態２に係る仕切体ユニットの第１の別の形状を示す平面図（ａ）と正面図（ｂ）である。
【図８】この発明の実施の形態２に係る仕切体ユニットの第２の別の形状を示す平面図（ａ）と正面図（ｂ）である。
【図９】従来の遊技機島における遊技機の配設状態を示す平面図（ａ）と、仕切板の配設状態を示す平面図（ｂ）である。
【発明を実施するための形態】
【００１７】
以下、この発明を図示の実施の形態に基づいて説明する。
【００１８】
「実施の形態１」
図１〜図５は、この発明の実施の形態１を示し、図１および図２は、この発明の実施の形態に係る遊技機島１および遊技機島用仕切体１０を示す正面図および斜視図である。遊技機島１は、複数の遊技機２が背中合わせで２列に配設された島であり、遊技機島用仕切体１０は、遊技機２の下方に配設され、遊技機２の下方の空間を仕切る構造体である。ここで、この実施の形態では、図３、図４等に示すように、遊技機２の一方の列を第１の列２１、他方の列を第２の列２２とする。
【００１９】
「遊技機島１の構成」
この遊技機島１は、複数の遊技機２が背中合わせで２列に配設され、かつ、隣接する遊技機２と遊技機２との間に、背中合わせの遊技機２が位置するように各遊技機２が配設されている。
【００２０】
すなわち、図１、図２に示すように、平板状で水平方向に延びる遊技機台１１と、平板状で垂直方向に延びて遊技機台１１の両端を支持する支持板１２とを備え、遊技機台１１の上面に、遊技機２が横並びに２列、背中合わせで配設されている。この際、図３に示すように、第１の列２１の隣接する遊技機２と遊技機２との間に、第２の列２２の遊技機２が配設され、同様に、第２の列２２の隣接する遊技機２と遊技機２との間に、第１の列２１の遊技機２が配設されている。
【００２１】
ここで、遊技機台１１の配設高さは、遊技機２の前面の椅子（図示せず）に着座した遊技者が遊技機２を操作しやすいように設定されている。また、遊技機２の上方に、遊技玉などを搬送する搬送路（図示せず）が配設され、遊技機２および遊技機台１１と床との間に搬送路は設けられていない。そして、遊技機台１１と床との間に、遊技機島用仕切体１０が配設されている。
【００２２】
「遊技機島用仕切体１０の構成」
遊技機島用仕切体１０は、上記のように、複数の遊技機２が背中合わせで２列に配設され、隣接する遊技機２と遊技機２との間に、背中合わせの遊技機２が位置するように各遊技機２が配設されている場合において、遊技機２の下方に配設される構造体であって、図１に示すように、各遊技機２の下方に、遊技機２の前面側から背中合わせの遊技機２の前面側まで延びる足入れ空間Ｓを形成するための、仕切板４が配設され、かつ、足入れ空間Ｓにおいて、遊技機２の前面側に着座した遊技者の股部近傍あるいは膝が位置する幅が、遊技者の足先部が位置する幅よりも広くなるように、仕切板４が形成されている。
【００２３】
具体的には、隣接する遊技機２と遊技機２との間の下方であって遊技機２の前面側に、略二等辺三角形状の前面板３が配設され、前面板３の側縁３１と、この側縁３１に対向する前面板３の側縁とを結ぶように、仕切板４が形成されている。
【００２４】
「前面板３の構成」
前面板３は、図５に示すように、頂点が平らな略二等辺三角形状、つまり山形の台形状で、第１の列２１および第２の列２２において、隣接する遊技機２と遊技機２との間の下方に、それぞれ配設されている。この際、前面板３の頂辺（上辺）が遊技機２と遊技機２との中間部直下に位置し、前面板３の板面が遊技機２の前面とほぼ面一になるように、前面板３が配設されている。このような配設状態では、図５（ａ）に示すように、第１の列２１の前面板３の頂辺と第２の列２２の前面板３の頂辺とが対向せず（ずれており）、第１の列２１の前面板３の底辺の角部３ａと、第２の列２２の前面板３の底辺の角部３ａとが、対向した状態となる。なお、遊技機島用仕切体１０の両端においては、図１に示すように、前面板３を垂直に半割りにしたような台形状の端部前面板５が配設されている。
【００２５】
「仕切板４の構成」
仕切板４は、前面板３の側縁３１と、この側縁３１に隣接して対向する前面板３の側縁３１とを結ぶように形成されている。すなわち、図５（ａ）に示すように、第１の列２１の前面板３の側縁３１の全長と、この側縁３１に隣接する第２の列２２の前面板３の側縁３１の全長とを、面的に連結するように仕切板４が形成され、この仕切板４は曲面部を備えている。
【００２６】
そして、このような仕切板４が各前面板３に対して配設されることで、各遊技機２の下方に足入れ空間Ｓが形成されている。この足入れ空間Ｓは、第１の列２１の遊技機２の前面側から、この遊技機２に対向する第２の列２２の前面板３まで延び、同様に、第２の列２２の遊技機２の前面側から、この遊技機２に対向する第１の列２１の前面板３まで延びている。つまり、背中合わせの遊技機２を横断するように、足入れ空間Ｓが形成されている。
【００２７】
さらに、足入れ空間Ｓは、床面近くの下部では、図４（ａ）に示すように、全奥行にわたって足元幅Ｗ１が同一となり、遊技機２近くの上部では、図４（ｂ）に示すように、前方から奥に向かって幅が狭くなっている。そして、足入れ空間Ｓの上部の遊技機２側の腰元幅Ｗ２は、足入れ空間Ｓの下部の足元幅Ｗ１よりも広い。この結果、遊技機２の前面側に着座した遊技者の股部が位置する腰元幅Ｗ２が、遊技者の足先部が位置する足元幅Ｗ１よりも広くなっている。ここで、足元幅Ｗ１および腰元幅Ｗ２は、遊技機２の前面に着座した遊技者が、足や姿勢を動かすのに適した大きさに設定されている。
【００２８】
「遊技機島１および遊技機島用仕切体１０による効果」
以上のように、遊技機島１および遊技機島用仕切体１０によれば、仕切板４によって各遊技機２の下方に、遊技機２の前面側から背中合わせの遊技機２の前面側まで延びる足入れ空間Ｓが形成されるため、遊技者は足を伸ばすことができ、リラックスした状態で遊技を行うことが可能となる。すなわち、図４（ａ）に示すように、足入れ空間Ｓの遊技機２の前面から前面板３までの奥行長Ｄ１は、図９（ｂ）に示す従来の奥行長Ｄ２のおよそ２倍であるため、図３に示すように、遊技者が占有できるパーソナル空間ＰＳ１が広くなり、遊技者は足を伸ばしてリラックスした状態で遊技を行うことが可能となる。しかも、足入れ空間Ｓにおいて遊技者の股部が位置する腰元幅Ｗ２が、足先部が位置する足元幅Ｗ１よりも広くなっているため、遊技者は両膝の間隔を広げたり、足の付け根を動かしたりして自由な姿勢をとり、よりリラックスした状態で遊技を行うことが可能となる。
【００２９】
一方、隣接する遊技機２と遊技機２との間に背中合わせの遊技機２が位置していることで、つまり、対向する遊技機２が互いにずれていることで、足入れ空間Ｓが対向する遊技機２の前面側まで延びている。このため、第１の列２１と第２の列２２の列間の距離を長くすることなく、足入れ空間Ｓの奥行を長くすることができる。あるいは、足入れ空間Ｓを確保しつつ第１の列２１と第２の列２２の間を狭くすることも可能となる。つまり、遊技機島１の幅（厚み）を狭くすることができる。
【００３０】
また、隣接する遊技機２と遊技機２との間の下方であって遊技機２の前面側に、つまり、各足入れ空間Ｓの奥側に、前面板３が配設されているため、各遊技機２の遊技者の足先部が前面板３で隠れる。また、前面板３が略二等辺三角形状で、対向する前面板３の側縁３１同士を結ぶように仕切板４が形成されているため、この仕切板４によって、上部の遊技機２側の幅が広くて下部の幅が狭い足入れ空間Ｓが形成される。このように、前面板３の側縁３１同士を結ぶように仕切板４を形成することで、遊技者の股部が位置する腰元幅Ｗ２が、足先部が位置する足元幅Ｗ１よりも広い足入れ空間Ｓを、容易かつ適正に形成することができる。しかも、前面板３と仕切板４とを備えるだけの簡易な構成で、遊技者の足先部を隠して、かつ、リラックスできる空間を遊技者に提供することができる。また、この実施の形態の仕切板４の形状とすることで、遊技機島１の両側の列で同じ形状の足入れ空間Ｓを設けることが可能となる。
【００３１】
さらに、同様な足入れ空間Ｓを複数、横方向および反対側の列に設けることが可能となる。
【００３２】
「実施の形態２」
図６は、この発明の実施の形態２を示し、実施の形態１と同等の構成については、同一符号を付することでその説明を省略する。この実施の形態では、遊技機島用仕切体１０が、複数の同形状の仕切体ユニット２０が連結されて構成されている点で、実施の形態１と構成が異なる。
【００３３】
仕切体ユニット２０は、前面板３と、この前面板３の両側縁３１から延びる仕切板４とを備え、仕切板４の長さ・奥行きは、実施の形態１の仕切板４の半分となっている。すなわち、図５に示す遊技機島用仕切体１０を第１の列２１と第２の列２２の中央線で切断したのと同等の構成となっている。そして、このような仕切体ユニット２０を背中合わせに交互に配設して、隣接する仕切体ユニット２０の仕切板４の自由端部４１同士を連結部材（図示せず）で連結することで、遊技機島用仕切体１０を構成できるようになっている。
【００３４】
このように、この実施の形態によれば、複数の同形状の仕切体ユニット２０が連結されて遊技機島用仕切体１０が構成されているため、同形状の仕切体ユニット２０を複数連結するだけ、容易に遊技機島用仕切体１０を構成することができる。また、仕切体ユニット２０の連結数を変えるだけで、遊技機２０の配設数に応じた遊技機島用仕切体１０を容易に構成することができる。しかも、同形状の仕切体ユニット２０を複数製作すればよいため、製作費を低減することが可能となる。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１では、遊技機島用仕切体１０が遊技機島１の一部を成す場合について説明したが、遊技機島用仕切体１０を単体とし、既存・既製の遊技機島の遊技機の下方に遊技機島用仕切体１０を配設するようにしてもよい。
【００３６】
また、実施の形態２では、仕切体ユニット２０が、遊技機島用仕切体１０を第１の列２１と第２の列２２の中央線で切断した形状となっているが、その他の形状であってもよい。例えば、図７に示すように、図５に示す遊技機島用仕切体１０を前面板３の中心線で縦割りした、仕切体ユニット３０としてもよい。ここで、前面板３３は、実施の形態１の前面板３を垂直に半割りした形状となっている。さらに、図８に示すように、図５に示す遊技機島用仕切体１０を前面板３が中央に位置するように縦割りした、仕切体ユニット４０としてもよい。この場合、前面板３の両側に、図７に示す前面板３３が配置された状態となる。
【００３７】
また、仕切板４の形状は他の形状であってもよく、遊技機島１の両面のそれぞれの第１の列２１と第２の列２２の足入れ空間Ｓの形状を同じとするだけではなく、異なった形状にしてもよい。あるいは、足入れ空間Ｓの左右の仕切板４の形状を異なるようにしてもよい。
【００３８】
更に、本発明は、遊技機が片面のみ配置された遊技機島に適用が可能であり、また、遊技機が１台のみの遊技機島にも適用可能である。
【符号の説明】
【００３９】
１        遊技機島
２        遊技機
２１      第１の列
２２      第２の列
３        前面板
３１      側縁
４        仕切板
１０      遊技機島用仕切体
１１      遊技機台
１２      支持板
２０      仕切体ユニット
３０      仕切体ユニット
４０      仕切体ユニット
Ｓ        足入れ空間
ＰＳ１    パーソナル空間
【図１】
0006403310.tif 000002
【図２】
0006403310.tif 000003
【図３】
0006403310.tif 000004
【図４】
0006403310.tif 000005
【図５】
0006403310.tif 000006
【図６】
0006403310.tif 000007
【図７】
0006403310.tif 000008
【図８】
0006403310.tif 000009
【図９】
0006403310.tif 000010